(57)【要約】【課題】  車両においてヨーレートセンサの加速度感度誤差に合わせ、快適性を損なうことなく挙動安定化制御を実行させる。【解決手段】  ＶＳＣ制御の実行頻度を規定する閾値Ｔｈｖｓｃを決定するために閾値設定処理が実行される。同処理が実行される過程で、前後加速度の絶対値｜Ｇｘ｜が、閾値Ｔｈｇよりも大きいか否かが判別され、閾値Ｔｈｇ以下である場合には通常通りの閾値Ｔｈｖｓｃ１が閾値Ｔｈｖｓｃとして設定される。一方、｜Ｇｘ｜が閾値Ｔｈｇよりも大きい場合には、基本的に閾値Ｔｈｖｓｃ２が閾値Ｔｈｖｓｃとして設定される。この際、絶対値｜Ｇｘ｜が閾値Ｔｈｇより大きい場合であっても、ヨーレートセンサ１５によって検出されたヨーレートＹＲを前後加速度Ｇｘで除算した値の絶対値である感度誤差指標値｜ＹＲ／Ｇｘ｜が閾値Ｔｈｙ以下である場合には、閾値Ｔｈｖｓｃ１が閾値Ｔｈｖｓｃとして設定される。【選択図】図３
2006347256.tif 000002
【特許請求の範囲】
【請求項１】
少なくとも一つの振動子を有すると共に該振動子の加振方向が車両の前後方向と一致するように前記車両に設置されるヨーレート検出手段によって検出されるヨーレートに基づいて前記車両の挙動を安定化させるための挙動安定化制御を行う挙動安定化装置に対し前記挙動安定化制御の実行頻度を規定する閾値を設定することによって前記挙動安定化装置を制御する挙動安定化装置の制御装置であって、
前記車両における前記前後方向の加速度を検出する前後方向加速度検出手段と、
前記閾値を、前記検出された前後方向の加速度の絶対値が（i）所定の第１基準値以下である場合には第１閾値に、また（ii）前記第１基準値よりも大きい場合には前記実行頻度を前記第１閾値によって規定される実行頻度よりも減少させる第２閾値に設定する閾値設定手段と
を具備することを特徴とする挙動安定化装置の制御装置。
【請求項２】
前記車両が直進状態にあるか否かを判別する判別手段を更に具備し、
前記閾値設定手段は更に、（i）前記前後方向の加速度の絶対値が前記第１基準値よりも大きく、（ii）前記判別手段によって前記車両が前記直進状態にあると判別され且つ（iii）前記検出されたヨーレートの値を前記検出された前後方向の加速度の値で除算した値の絶対値が所定の第２基準値以下である場合に、前記閾値を前記第１閾値に設定する
ことを特徴とする請求項１に記載の挙動安定化装置の制御装置。
【請求項３】
少なくとも一つの振動子を有すると共に該振動子の加振方向が車両の前後方向と一致するように前記車両に設置されるヨーレート検出手段によって検出されるヨーレートに基づいて前記車両の挙動を安定化させるための挙動安定化制御を行う挙動安定化装置に対し前記挙動安定化制御の実行頻度を規定する閾値を設定することによって前記挙動安定化装置を制御する挙動安定化装置の制御装置であって、
前記車両における前記前後方向の加速度を検出する前後方向加速度検出手段と、
前記閾値を、前記検出されたヨーレートの値を前記検出された前後方向の加速度の値で除算した値の絶対値が（i）所定の基準値以下である場合には第１閾値に、また（ii）前記基準値よりも大きい場合には前記実行頻度を前記第１閾値によって規定される実行頻度よりも減少させる第２閾値に設定する閾値設定手段と
を具備することを特徴とする挙動安定化装置の制御装置。
【発明の詳細な説明】
【技術分野】
【０００１】
本発明は、例えば、ＶＳＣ（Vehicle Stability Control）装置など、ヨーレートに基づいて車両の挙動を安定化させる挙動安定化装置を制御する挙動安定化装置の制御装置の技術分野に関する。
【背景技術】
【０００２】
この種の挙動安定化装置に対し、ヨーレートセンサが異常であるか否かを判断する装置が提案されている（例えば、特許文献１参照）。特許文献１に開示された車両の運動制御装置におけるセンサ異常検出装置（以下、「従来の技術」と称する）によれば、ヨーレートセンサ又は横方向加速度センサのうち一方の検出値が安定しているときに他方の検出値が閾値以上変化したか否かによって、係る一方のセンサが異常であるか否かを判断することが可能であるとされている。尚、ヨーレートセンサは、通常２個の振動子を一方向に加振し、車両にヨーが加わった場合に両振動子に発生するコリオリ力をヨーレートの検出に利用している。
【０００３】
【特許文献１】特開平１１−６４３７６号公報
【発明の開示】
【発明が解決しようとする課題】
【０００４】
加振方向に加減速度が発生した場合、両振動子はその加減速度の影響を受けて振動する。この際、両振動子の質量や形状などが相互に等しければ、両振動子から検出される値の相対比較によってこのような加減速度の影響はキャンセルされ、センサ出力はゼロに近い値となる。一方で、係る加減速度に対する両振動子の感度が相互に異なる場合には、両振動子の振動モードが異なるために、両振動子間の差分に相当するセンサ出力が発生する。このセンサ出力は、実際に車両にヨーが発生した際に発生するセンサ出力とは区別がつかないから、結局、誤ってヨーレートが検出されてしまうこととなる。
【０００５】
このような場合、従来の技術では、横方向加速度センサの値は変化しないためにヨーレートセンサが異常であると判断されかねない。一方で、このような異常の判断を行わない場合、誤って検出されたヨーレートに基づいて運動制御が実行されかねない。即ち、従来の技術には、快適性が損なわれかねないという技術的な問題点がある。
【０００６】
本発明は、上述した問題点に鑑みてなされたものであり、挙動安定化装置に対し、ヨーレートセンサの加速度感度誤差に合わせ、快適性を損なうことなく挙動の安定化制御を実行させ得る挙動安定化装置の制御装置を提供することを課題とする。
【課題を解決するための手段】
【０００７】
上述した課題を解決するため、本発明に係る挙動安定化装置の制御装置は、少なくとも一つの振動子を有すると共に該振動子の加振方向が車両の前後方向と一致するように前記車両に設置されるヨーレート検出手段によって検出されるヨーレートに基づいて前記車両の挙動を安定化させるための挙動安定化制御を行う挙動安定化装置に対し前記挙動安定化制御の実行頻度を規定する閾値を設定することによって前記挙動安定化装置を制御する挙動安定化装置の制御装置であって、前記車両における前記前後方向の加速度を検出する前後方向加速度検出手段と、前記閾値を、前記検出された前後方向の加速度の絶対値が（i）所定の第１基準値以下である場合には第１閾値に、また（ii）前記第１基準値よりも大きい場合には前記実行頻度を前記第１閾値によって規定される実行頻度よりも減少させる第２閾値に設定する閾値設定手段とを具備することを特徴とする。
【０００８】
本発明における「ヨーレート検出手段」とは、車両に搭載され、車両に発生するヨーレートを物理量として検出することが可能な手段であり、少なくとも一つの振動子を備え、係る振動子に作用するコリオリ力に基づいてヨーレートを検出する構成を有する手段を包括する概念である。具体的には、振動子を一方向（例えば、Ｘ軸）に加振（励振）する。この際、Ｚ軸（垂直軸）周りに振動子が回転運動を行うと、Ｙ軸（Ｘ軸及びＺ軸に夫々直交する）にコリオリ力が発生する。振動子を加振する手段及びコリオリ力を検出する手段は何ら限定されるものではないが、例えば、圧電素子などを振動子に固定して、或いは圧電素子などで振動子を形成して圧電素子に電圧を印加し、印加電圧に基づく圧電効果を利用することによって振動子が加振されてもよい。この場合、コリオリ力に基づく振動子の振動は、逆圧電効果によって電圧変化を生じさせるから、係る電圧変化或いは電圧を検出することによって、コリオリ力を検出し、検出されたコリオリ力に基づいてヨーレートが検出される。
【０００９】
ヨーレート検出手段における振動子の数量は、何ら限定されない。但し、振動子が単一である場合、加振方向に加減速度が発生すると、係る加減速度の影響によって振動子が振動して、直接的にヨーレートとして検出されてしまう。従って、ヨーレートの検出精度を簡便に高め得る手法として、振動子は通常複数（例えば、２個）設けられる。この場合、各振動子の振動量又はそれと対応する物理量（電圧など）の差分に基づいてヨーレートが検出される。従って、両端子の振動モードが相互に等しい、或いは等しいと見なし得る程度に一致していれば、車両が直進している状態（即ち、車両にヨーが発生していない状態）では係る差分は極めて小さい値となって、このような加減速度の影響がキャンセルされる。
【００１０】
尚、本発明に係るヨーレート検出手段では、振動子は、その加振方向が車両の前後方向と一致するように設置される。ここで、「一致するように」とは、厳密な意味で加振方向が車両の前後方向と一致しておらずともよく、巨視的に見て概ね車両の前後方向と一致している状態を含む概念である。
【００１１】
本発明における「挙動安定化装置」とは、ヨーレート検出手段によって検出されるヨーレートに基づいて車両の挙動を安定化するための挙動安定化制御を実行する装置或いはシステムを指す。ここで、「挙動安定化制御」とは、車両の挙動を安定化させるための物理的、電気的、機械的又は機構的な動作を包括する概念であり、例えば、車両がスリップして過度なアンダーステアが出ている状態や、車両がスピンして過度なオーバーステアが出ている状態を修正或いはそれ自体を回避する目的からブレーキシステムなど制動装置が発揮する制動力を車輪毎にコントロールするような制御であってもよいし、単に、各車輪の操舵角を個別に制御するような制御であってもよい。即ち、挙動安定化装置とは、ＶＳＣ及びそれに準じる制御を行う装置又は４ＷＳ及びそれに準じる制御を行う装置などであってもよい。
【００１２】
尚、「検出されるヨーレートに基づいて」とは、必ずしも検出されるヨーレートのみに基づいて挙動安定化制御が行われることを表すものではなく、挙動安定化装置の態様に合わせ、検出されるヨーレートの他にも適宜車両におけるその他の状態量又は物理量が参照されてもよい趣旨である。例えば、このような状態量又は物理量とは、操舵角、車速及び横方向加速度或いはヨーレート検出手段とは少なくとも一部が独立して設けられる何らかの手段によって特定されるヨーレートであってもよい。尚、この場合の「特定」とは、検出、測定又は推定などを含む概念である。
【００１３】
挙動安定化装置による挙動安定化制御の実行頻度は、閾値によって規定される。即ち、係る閾値と、比較対象となる値との相互比較に基づいて（例えば、閾値を超えたか否かに応じて）挙動安定化制御の実行可否が選択される。尚、閾値との比較対象となる値は、挙動安定化制御を有意に実行することが可能である限りにおいて何ら限定されない。例えば、検出されるヨーレートの値そのものであってもよいし、ヨーレートを推定する手段が備わる場合には検出されたヨーレートの値と推定されたヨーレートの値との差分などであってもよい。
【００１４】
ここで特に、ヨーレートセンサなどのヨーレート検出手段に備わる振動子相互間の寸法、形状又は質量などが無視し得ない程度に異なる場合、必然的に加減速度によって生じる振動のモードが相互に異なることとなる。即ち、両振動子間に加速度感度誤差が発生する。この場合、振動子の振動量の時間分布が相互に異なるために、ヨーレート検出手段の出力値はゼロ又はそれに準じる程度の値と比較して無視し得ない程度に大きい値となる。一方で、このような加速度感度誤差に基づいた出力値は、回転運動に基づいた出力値と区別できないから、両振動子間に比較的大きい加速度感度誤差が存在する場合には、ヨーレート検出手段の信頼性が結果的に低下する。尚、振動子が単一である場合、一検出手段内では、振動子相互間の加速度感度誤差は生じないが、他の車両に搭載される検出手段における振動子との間では同様に生じるのであり、結局ヨーレート検出手段の信頼性が低下する問題は同様に発生する。
【００１５】
このような場合に、何らの対策も施されなければ、誤ったヨーレートに基づいて車両の安定化制御が実行され、車両の快適性が損なわれかねない。反対に、ヨーレート検出手段が異常であるとして挙動安定化制御を行わなければ、必要時に安定化制御が実行されない可能性が有り、車両の快適性が損なわれかねない。
【００１６】
そこで、本発明に係る挙動安定化装置の制御装置は、前後方向加速度検出手段と閾値設定手段を備えることによって、係る問題を解決している。
【００１７】
即ち、本発明に係る挙動安定化装置の制御装置によれば、その動作時には、前後方向加速度検出手段によって、車両の前後方向の加速度が検出される。ここで、前後方向加速度検出手段の態様は、車両の前後方向の加速度を検出可能である限りにおいて何ら限定されない。例えば、加速度の検出方向を係る前後方向に設定した加速度センサであってもよいし、各車輪に備わる車輪速センサに基づいて加速度の値を演算（推定）する手段であってもよい。尚、このような演算手段とは、ＥＣＵ（Electronic Control Unit：電子制御ユニット）であってもよい。
【００１８】
閾値設定手段は、前述した挙動安定化制御の実行頻度を規定する閾値を設定する手段である。閾値設定手段は、係る閾値を、検出された前後方向の加速度の絶対値が所定の第１基準値以下である場合には第１閾値に、係る第１基準値よりも大きい場合には第２閾値に設定する。
【００１９】
ここで、「第１閾値」とは、ヨーレートセンサの振動子における加速度感度誤差を特段考慮することなしに挙動安定化制御を通常通りに実行する旨を規定する閾値を表す概念である。即ち、第１閾値は、第１閾値が閾値として設定されている状態において、前後方向の加減速度に起因して誤って検出されるヨーレートによって挙動安定化制御が開始される事態が生じない、或いは生じる可能性が著しく低い値を表す概念である。第１閾値は係る概念が担保される限りにおいて、例えば予め実験的に、経験的に、或いはシミュレーションなどに基づいて定められていてもよい。
【００２０】
一方、「第２閾値」とは、挙動安定化制御の実行頻度を、第１閾値によって規定される実行頻度よりも減少させる閾値である。即ち、挙動安定化制御が実行される車両状態の範囲（制御範囲）を縮小させる（非制御範囲を拡大させる）閾値である。例えば、検出されるヨーレートの値或いはそれに対応する値が閾値を超えた場合に挙動安定化制御が実行される場合には、第２閾値は第１閾値よりも大きい値となる。第２閾値が閾値として設定されている状態において、前後方向の加減速度の影響を回避する見地からは、第２閾値は、前後方向に、車両に想定し得る最大の加減速度が加えられた場合であっても加速度感度誤差に起因してヨーレートとして検出される出力値によって挙動安定化制御が開始されないように設定されるのが好ましい。しかしながら、第２閾値の値は、挙動安定化制御の実行頻度が少なくとも閾値として第１閾値が選択されている場合と比較して減少する限りにおいてどのような値であってもよい。第２閾値の値は、予め実験的に、経験的に或いはシミュレーションなどに基づいて定められていてもよい。
【００２１】
ここで、このような第１及び第２閾値との切り替わりを規定する第１基準値とは、振動子の加速度感度誤差に起因して誤って検出されるヨーレートに基づいて挙動安定化制御が実行される機会が、このような第１基準値が設けられない場合と比較して幾らかなりとも減少する限りにおいて、どのような値であってもよい。例えば、第１基準値は、予め加速度感度誤差によって誤って検出されるヨーレートの範囲がある程度判明している或いは推測可能である場合には、前後方向の加速度によって誤って検出されるヨーレートが第１閾値を超えない限界の値として設定されていてもよい。尚、第１基準値は、予め実験的に、経験的に或いはシミュレーションなどに基づいて定められていてもよい。
【００２２】
このように、本発明に係る挙動安定化装置の制御装置によれば、車両の前後加速度の絶対値が第１基準値を超えた場合に閾値が第２閾値に設定され、挙動安定化制御の実行頻度が減少する。従って、少なくとも挙動安定化制御の早期作動が減少する。この際、挙動安定化制御は完全に禁止される訳ではなく、比較対象となる値が第２閾値を超えた場合には、挙動安定化制御が実行される。即ち、閾値を適切に設定することによって、快適性を損なうことなく車両の安定化制御を実行させることが可能となるのである。
【００２３】
尚、「第１基準値を超えた場合に」とは、必ずしも第１基準値を超えた場合の全てでなくてもよく、第１基準値を超え且つ更に何らかの設定条件が満たされた場合も含む概念である。
【００２４】
尚、加速度感度誤差に起因して誤って検出されるヨーレートの値が、前後方向加速度が増加するのに伴って増大することに鑑みれば、第２閾値は、前後加速度の値に対応付けられる形で複数設定されてもよい。即ち、第２閾値とは、単一の値でなくともよい。
【００２５】
また、本発明に係る挙動安定化装置の制御装置は、少なくとも一部が挙動安定化装置本体と一体に、或いは機能的に重複するように構成されていてもよい。例えば、挙動安定化装置が、車両の制動力を制御するための制動ユニット（例えば、ブレーキアクチュエータなど）を制御することによって、車輪に付与される制動力をコントロールする装置であって、ＥＣＵがその制御を担っている場合に、閾値設定手段が係るＥＣＵによって実現されてもよい。
【００２６】
本発明に係る挙動安定化装置の制御装置の一の態様では、前記車両が直進状態にあるか否かを判別する判別手段を更に具備し、前記閾値設定手段は更に、（i）前記前後方向の加速度の絶対値が前記第１基準値よりも大きく、（ii）前記判別手段によって前記車両が前記直進状態にあると判別され且つ（iii）前記検出されたヨーレートの値を前記検出された前後方向の加速度の値で除算した値の絶対値が所定の第２基準値以下である場合に、前記閾値を前記第１閾値に設定する。
【００２７】
振動子の加速度感度誤差の範囲は、主として振動子の製造過程において、振動子に許容される精度などに応じて決定される。この際、経済性を追求する事情などから係る許容精度を低下させれば、必然的に加速度感度誤差の大きい（即ち、ヨーレートを誤検出する可能性の高い）振動子がヨーレート検出手段に搭載される可能性は否定できないものとなる。但し、そのような場合でも、加速度感度誤差の比較的小さい振動子がヨーレート検出手段に搭載される可能性が否定される訳ではないから、ヨーレート検出手段に搭載される振動子の加速度感度誤差が十分に小さいことが判別又は推測可能であるならば、閾値を第２閾値に設定する必然性は小さいものとなる。
【００２８】
一方、前述したように、加速度感度誤差に起因して検出されるヨーレートと、実際に車両が旋回動作を行うことなどによって発生する真のヨーレートとは区別がつかないから、加速度感度誤差がどの程度であるかを判別するためには、加速度感度誤差の現れる方向、即ち、前後方向に車両が走行中である必要がある。
【００２９】
この態様によれば、判別手段によって車両が直進状態であるか否かが判別される。ここで、直進状態とは、車両が明確に直進或いは直進とみなせる程度に一方向に進行していることを表す概念であり、直進状態の判別は、係る概念が担保される限りにおいて、如何なる手段を用いて実現されてもよい。
【００３０】
例えば、操舵角、操舵角速度又は横方向加速度などに基づいて車両が直進状態であるか否かが判別されてもよい。この場合、各物理量と予め設定される閾値とが比較されてもよい。一方、直進状態の判別は、このように車両が直進しているか否かを積極的に判別する態様の他に、直進していない可能性が否定できない場合を除外することによって実現されてもよい。例えば、ＡＢＳ（Antilock Braking System）又はそれに準じる制動制御装置、或いはＴＲＣ（TRaction Control system）又はそれに準じるトルク配分装置などが作動している場合、車両の制動力の微妙な変化などにより、ヨーレート検出手段が影響を受ける可能性は否定できない。更に、このような状況では、車両がどの方向を向いているのか分からない場合がある。従って、このような不定要素が含まれる状態は、実際には車両が直進していたとしても、直進状態から除外されてもよい。
【００３１】
車両が直進している場合、検出されたヨーレートの値を前後方向加速度の値で除算した値（以降、適宜、「感度誤差指標値」と称する）が、第２基準値以下であれば、閾値設定手段は閾値を第１閾値に設定する。従って、この態様によれば、ヨーレート検出手段における振動子の加速度感度誤差に合わせて、適切な閾値を設定することが可能となり、挙動安定化装置を効果的に制御することが可能となるのである。
【００３２】
尚、第２基準値は、振動子の加速度感度誤差が許容範囲内であるか否かを規定可能である限りにおいて何ら限定されず、予め実験的に、経験的に、或いはシミュレーションなどに基づいて適切な値に定められていてもよい。
【００３３】
尚、係る感度誤差指標値は、直進状態であれば、検出されるヨーレートの値に比例するから、振動子の物理的な特性或いはヨーレート検出手段における機械的又は機構的な状態が変化しない限り常に一定である可能性が高い。従って、実際的には、感度誤差指標値が第２基準値以下であるか否かの判別は、車両の走行中（アイドリング状態で停止している場合も含む）少なくとも一回行われればよい。但し、一定又は不定に訪れるタイミング毎に、このような判別が行われてもよい。また、判別がなされた結果は、ＥＣＵなどに備わる所定の記憶手段に一時的に記憶されていてもよい。
【００３４】
上述した課題を解決するため、本発明に係る他の挙動安定化装置の制御装置は、少なくとも一つの振動子を有すると共に該振動子の加振方向が車両の前後方向と一致するように前記車両に設置されるヨーレート検出手段によって検出されるヨーレートに基づいて前記車両の挙動を安定化させるための挙動安定化制御を行う挙動安定化装置に対し前記挙動安定化制御の実行頻度を規定する閾値を設定することによって前記挙動安定化装置を制御する挙動安定化装置の制御装置であって、前記車両における前記前後方向の加速度を検出する前後方向加速度検出手段と、前記閾値を、前記検出されたヨーレートの値を前記検出された前後方向の加速度の値で除算した値の絶対値が（i）所定の基準値以下である場合には第１閾値に、また（ii）前記基準値よりも大きい場合には前記実行頻度を前記第１閾値によって規定される実行頻度よりも減少させる第２閾値に設定する閾値設定手段とを具備することを特徴とする。
【００３５】
本発明に係る他の挙動安定化装置の制御装置によれば、上述した感度誤差指標値の比較判別結果に応じて、閾値設定手段が第１閾値と第２閾値との間で閾値を切り替える。従って、ヨーレート検出手段に搭載される振動子の加速度感度誤差に応じて、挙動安定化制御を適切に実行させることが可能となる。尚、第１閾値及び第２閾値は、夫々前述の本発明に係る挙動安定化装置の制御装置におけるものと同一の趣旨で規定される値である。
【００３６】
本発明のこのような作用及び他の利得は次に説明する実施形態から明らかにされる。
【発明を実施するための最良の形態】
【００３７】
＜実施形態＞
以下、適宜図面を参照して本発明の好適な実施形態について説明する
＜実施形態の構成＞
始めに、図１を参照して、本発明の実施形態に係る車両の構成について説明する。ここに、図１は、車両１０の模式図である。
【００３８】
図１において、車両１０は、制動ユニット１１、車輪１２ＦＬ、１２ＦＲ、１２ＲＬ及び１２ＲＲ、制動装置１３ＦＬ、１３ＦＲ、１３ＲＬ及び１３ＲＲ、横加速度センサ１４、ヨーレートセンサ１５、操舵角センサ１６、アクセル開度センサ１７、Ｍ／Ｃ圧センサ１８、車輪速センサ１９ＦＬ，１９ＦＲ、１９ＲＬ及び１９ＲＲ、ＥＣＵ１１０並びに前後加速度センサ１２０を備える。
【００３９】
制動ユニット１１は、各車輪に備わる各制動装置の制動力を制御する制御ユニットであり、後述するＥＣＵ１１０によって上位制御されている。制動ユニット１１は、不図示のマスタシリンダ及び伝達系を備えており、通常、伝達系を介して不図示のブレーキペダルの操作量に応じたマスタシリンダ圧（以下、適宜「Ｍ／Ｃ圧」と称する）で制動液を各車輪に備わる不図示のホイルシリンダに供給し、制動力を制御している。尚、制動ユニット１１はＡＢＳなどのロック防止機能を備えており、ＡＢＳの動作時には、マスタシリンダを介することなく、即ち、ブレーキペダルの操作量とは無関係に各ホイルシリンダのホイルシリンダ圧を個別に制御することも可能に構成されている。尚、車輪１２ＦＬ、１２ＦＲ、１２ＲＬ及び１２ＲＲは、夫々車両１０の左前輪、右前輪、左後輪及び右後輪である。また、制動ユニット１１におけるＭ／Ｃ圧は、Ｍ／Ｃ圧センサ１８によって検出され、Ｍ／Ｃ圧を示すデジタル出力としてＥＣＵ１１０に出力される構成となっている。
【００４０】
制動装置１３ＦＬ、１３ＦＲ、１３ＲＬ及び１３ＲＲは、車輪１２ＦＬ、１２ＦＲ、１２ＲＬ及び１２ＲＲを直接制動する装置であり、前述したホイルシリンダ圧に応じた制動力で各車輪に制動力を付与することが可能に構成された、ディスクブレーキ装置などの制動装置である。
【００４１】
横加速度センサ１４は、車両１０における図示横方向の加速度を検出することが可能に構成されたセンサである。
【００４２】
ヨーレートセンサ１５は、本発明に係る「ヨーレート検出手段」の一例であり、車両１０が回転運動を行う際に生じるヨーレートを検出することが可能に構成されている。ここで、図２を参照して、ヨーレートセンサ１５の詳細な構成について説明する。ここに、図２は、ヨーレートセンサ１５の模式図である。尚、同図において、図１と重複する箇所には同一の符号を付してその説明を省略する。
【００４３】
図２において、ヨーレートセンサ１５は、圧電素子で形成された振動子１５ａ及び１５ｂを備える。振動子１５ａ及び１５ｂの下方には、図示ｚ軸を回転軸として回動可能に構成された軸部１５ｃが設けられており、図示上方の端部において、振動子１５ａ及び１５ｂの図示下方端部と夫々接合されている。従って、軸部１５ｃがｚ軸周りに回動するのに伴い、振動子１５ａ及び１５ｂもｚ軸周りに回動することが可能である。
【００４４】
振動子１５ａ及び１５ｂには、電源部１５ｄによって、夫々相互に極性の異なる交流電圧が印加電圧として与えられ、係る印加電圧によって生じる圧電効果により、振動子１５ａ及び１５ｂは、相互に正反対となる図示Ａ方向へ加振される。尚、図示Ａ方向は、ｚ軸と直交する図示ｘ軸に沿った方向である。尚、ヨーレートセンサ１５は、振動子１５ａ及び１５ｂの加振方向（即ち、図示Ａ方向）が、図１における車両１０の前後方向と一致するように車両１０に搭載されている。
【００４５】
一方、加振された状態で、軸部１５ｃがｚ軸周りに回動した場合、振動子１５ａ及び１５ｂには、図示Ｂ方向にコリオリ力が発生する。尚、図示Ｂ方向は、ｚ軸及びｘ軸と夫々相互に直交する図示ｙ軸に沿った方向である。発生したコリオリ力によって、夫々の振動子はＢ方向へ振動し、各振動子に逆圧電効果による電圧が発生する。各振動子がこのような外部から作用する力で振動することによって生じる電圧は、検出部１５ｅによって検出され、演算部１５ｆによって、当該検出電圧に対応する８ビットのデジタル信号に変換されてＥＣＵ１１０に送信される構成となっている。
【００４６】
図１に戻り、操舵角センサ１６は、車両１０における不図示のステアリングの切れ角を検出するセンサである。また、アクセル開度センサ１７は、車両１０における不図示のアクセルペダルの踏下量を検出するセンサである。
【００４７】
車輪速センサ１９ＦＬ，１９ＦＲ、１９ＲＬ及び１９ＲＲは、各車輪に備わり、各車輪の回転状態に基づいて各車輪における車輪速を検出することが可能に構成されている。
【００４８】
前後加速度センサ１２０は、車両における図示前後方向の加速度を検出することが可能に構成されたセンサであり、本発明に係る「前後方向加速度検出手段」の一例として機能するように構成されている。
【００４９】
ＥＣＵ１１０は、夫々不図示のＣＰＵ（Central Processing Unit）、ＲＯＭ（Read Only Memory）及びＲＡＭ（Random Access Memory）などを備え、車両１０における不図示のエンジン及び制動ユニット１１など車両１０の動作全体を制御する電子制御ユニットであり、本発明に係る「閾値設定手段」の一例として機能するように構成されている。ＥＣＵ１１０と前後加速度センサ１２０とは、本発明に係る「挙動安定化装置の制御装置」の一例たるＶＳＣ制御装置１００を構成する。尚、本実施形態では、ＥＣＵ１１０は、制動ユニット１１及び上記各センサなどと共に、本発明に係る「挙動安定化装置」の一例たるＶＳＣ装置も構成している。尚、ＥＣＵ１１０と、制動ユニット１１及び各センサとは、ＣＡＮ（Controller Area Network）と称されるネットワークに基づいた制御バスによって電気的な接続が規定されており、ＥＣＵ１１０は、各センサからの出力を、各センサによって検出された物理量に対応するデジタル出力として受信することが可能に構成されている。
【００５０】
＜実施形態の動作＞
＜ＶＳＣ装置の概略＞
引き続き図１を参照して、ＶＳＣ装置の動作概略について説明する。
【００５１】
ＶＳＣ装置は、ヨーレートセンサ１５によって検出されるヨーレートＹＲと、例えば、操舵角センサ１６、横加速度センサ１４及び各車輪速センサなどの出力値から推定されたヨーレートとの差分に応じて制動ユニット１１が制動力を制御する装置である。
【００５２】
例えば、検出されたヨーレートＹＲが、推定ヨーレートよりも大きい場合、車両１０は運転者の意図する旋回量よりも多く旋回しているのであり、車両１０は、所謂スピン状態であると推測される。そのような場合には、ＥＣＵ１１０は、外側（旋回する時に大きい弧を描く側）の車輪の制動力を相対的に強め、内側（旋回する時に小さい弧を描く側）の車輪の制動力を相対的に弱めるように制動ユニット１１に指示を出す。この結果、スピンが回避或いは低減される。
【００５３】
反対に、検出されたヨーレートＹＲが、推定ヨーレートよりも小さい場合、車両１０は運転者の意図する旋回量よりも小さい旋回量で旋回しているのであり、車両１０は、所謂スリップ状態であると推測される。そのような場合には、ＥＣＵ１１０は、外側の車輪の制動力を相対的に弱め、内側の車輪の制動力を相対的に強めるように制動ユニット１１に指示を出す。この結果、スリップが回避或いは低減される。
【００５４】
このようなＶＳＣ装置による制動制御（即ち、本発明に係る「挙動安定化制御」の一例、以下、適宜「ＶＳＣ制御」と称する）を行うか否かは、検出されたヨーレートＹＲと、推定ヨーレートの差分の絶対値が所定の閾値Ｔｈｖｓｃ（即ち、本発明に係る「挙動安定化制御の実行頻度を規定する閾値」の一例）を超えたか否かによって決定される。
【００５５】
一方、ヨーレートセンサ１５は、図２における図示Ｂ方向への振動（車両１０の横方向の振動、即ち、実際のヨーレートと相関する振動）の他に、外部から図示Ａ方向加えられる振動（車両１０の前後方向の振動、即ち、実際のヨーレートとは無関係な振動）によって生じる電圧もヨーレートとして検出してしまう。
【００５６】
このような車両前後方向の振動は、主として、前後方向に加わる加速度に応じて大きくなるが、振動子相互間の寸法、質量又は形状などが相互に等しい或いは略等しい場合、振動子夫々の検出電圧の差分で考えれば、その影響をキャンセルすることができる。ところが、振動子に許容される精度が低い場合には、寸法、形状又は質量などが振動子相互間で無視し得ない程度にばらつくことによって、両振動子間に加速度感度誤差が発生する。その場合、実際には、急制動や急加速など車両前後方向に比較的大きな加速度が加わる状況などにおいてヨーレートが誤って検出されることになりかねない。この誤って検出されるヨーレートに基づいてＶＳＣ制御が実行された場合には、各車輪に運転者が意図しない制動力が付与されかねない。そこで、本実施形態では、ＶＳＣ制御装置１００のＥＣＵ１１０が閾値設定処理を実行し、閾値Ｔｈｖｓｃを適切に設定することにより、ＶＳＣ制御の実行頻度が好適に制御されている。即ち、ＶＳＣ制御装置１００は、ＶＳＣ制御の実行頻度を規定する閾値を設定することによってＶＳＣ装置を制御する装置である。
【００５７】
ここで、図３を参照して、閾値設定処理の詳細について説明する。ここに、図３は、閾値設定処理のフローチャートである。
【００５８】
図３において、始めに、ＥＣＵ１１０は、前後加速度センサ１２０によって検出される前後方向の加速度Ｇｘ（以下、適宜「前後加速度Ｇｘ」と称する）の絶対値が、所定の閾値Ｔｈｇ（即ち、本発明に係る「第１基準値」の一例）を超えたか否かを判別する（ステップＡ１０）。閾値Ｔｈｇは、ヨーレートセンサ１５における加速度感度誤差の有無又は大小によらず、ＶＳＣ制御に影響を与えないことが予め実験的に、経験的に、或いはシミュレーションなどによって判明している或いは推測される値の限界を規定する値に設定されている。前後加速度Ｇｘの絶対値が閾値Ｔｈｇ以下である場合には（ステップＡ１０：ＮＯ）、ＥＣＵ１１０は、閾値ＴｈｖｓｃをＴｈｖｓｃ１に設定する（ステップＡ１８）。閾値Ｔｈｖｓｃ１は、通常設定されるＶＳＣ制御の閾値であり、本発明に係る「第１閾値」の一例である。
【００５９】
一方、前後加速度Ｇｘの絶対値が閾値Ｔｈｇより大きい場合（ステップＡ１０：ＹＥＳ）、ＥＣＵ１１０は、基本的に閾値ＴｈｖｓｃをＴｈｖｓｃ２（Ｔｈｖｓｃ２＞Ｔｈｖｓｃ１）に設定する（ステップＡ１７）。このように閾値ＴｈｖｓｃをＴｈｖｓｃ１からＴｈｖｓｃ２に増量することにより、誤って検出されるヨーレートによってＶＳＣ制御が作動する確率が低下し、即ち、ＶＳＣ制御の制御範囲が縮小され、同一条件におけるＶＳＣ制御の実行頻度が減少する。従って、ヨーレートセンサ１５における各振動子の加速度感度誤差による影響が低減され、快適性を損なうことなくＶＳＣ制御を実行させることが可能となるのである。
【００６０】
但し、ＥＣＵ１１０は、一層効果的にＶＳＣ制御を実行させる観点から、閾値設定処理において更に精細な処理を実行している。即ち、ＥＣＵ１１０は、前後加速度Ｇｘが閾値Ｔｈｇより大きい場合、更に車両１０が直進状態であるか否かを判別する（ステップＡ１１）。ここで、車両１０が直進状態であるか否かは、操舵角センサ１６によって検出されるステアリングの切れ角が、閾値Ｔｈｓｓ未満であり、横加速度センサ１４によって検出される横方向の加速度Ｇｙが閾値Ｔｈｇｙ未満であり且つ検出される操舵角の時間微分値である操舵角速度ＤＳが閾値Ｔｈｄｓ未満であるか否かによって判別される。これら各閾値は、直進状態であるか否かを規定し得る限りにおいてどのような値であってもよい。例えば、Ｔｈｓｓは、５度或いは１０度などと設定されていてもよいし、Ｔｈｇｙは０．１Ｇ〜０．２Ｇ程度の値に設定されていてもよい。
【００６１】
車両１０が直進状態ではない場合（ステップＡ１１：ＮＯ）、車両１０が既に旋回動作に入っている可能性が高いため、安全性担保の観点から、ＥＣＵ１１０は、処理をステップＡ１７に移行して、閾値ＴｈｖｓｃをＴｈｖｓｃ２に設定する。
【００６２】
車両１０が直進している場合（ステップＡ１１：ＹＥＳ）、ＥＣＵ１１０は、ＡＢＳが非作動であるか否かを判別する（ステップＡ１２）。本実施形態では、ＡＢＳ制御（ロック防止制御）を実行するか否かは、各車輪速センサから得られる各車輪の車輪速などに基づいてＥＣＵ１１０によって制御されている。従って、ステップＡ１２による判別はＥＣＵ１１０自身によって速やかに実行される。
【００６３】
ＡＢＳが作動している場合（ステップＡ１２：ＮＯ）、ＥＣＵ１１０は処理をステップＡ１７に移行すると共に、ＡＢＳが非作動である場合（ステップＡ１２：ＹＥＳ）、ＥＣＵ１１０は更に、ＴＲＣが非作動であるか否かを判別する（ステップＡ１３）。ＴＲＣは、ＥＣＵ１１０が、図１において不図示のトルク伝達機構を制御して、各車輪に伝達されるエンジントルクの配分を適切に設定することにより、各車輪と路面との接地性を向上させる処理などを指す。ＥＣＵ１１０は、ＴＲＣを作動させるべき条件であるか否かを判断することによって、ステップＡ１３に係る判別を速やかに実行することが可能である。尚、ＴＲＣが作動している場合は（ステップＡ１３：ＮＯ）、処理はステップＡ１７に移行する。
【００６４】
尚、ＡＢＳやＴＲＣが作動している場合は、即ち、車両１０の走行条件（性能や速度など）と比較して路面状態が相対的に劣悪である場合が多い。従って、これらが作動している期間は、車両１０には比較的大きい揺れや振動が生じ得、ヨーレートセンサ１５の検出値が影響を受けかねない。更には、極端な場合、既に車両１０がどの方向を向いているのか特定し得ない状態である可能性もある。従って、これらが動作している期間では、安全性を担保する観点から、ＥＣＵ１１０は閾値をＴｈｖｓｃ２に設定する。即ち、ステップＡ１１に係る処理は、積極的に車両が直進状態であるか否かを判別する処理であるのに対し、ステップＡ１２及びステップＡ１３に係る処理は、車両１０が直進していない可能性を排除することによって車両１０が直進しているか否かを判別する処理であると言え、広い意味では、車両１０が直進しているか否かを判別する一環であるとも言える。
【００６５】
ＴＲＣが非作動である場合（ステップＡ１３：ＹＥＳ）、ＥＣＵ１１０は、Ｍ／Ｃ圧センサ１８によって検出されるＭ／Ｃ圧Ｐｍｃが閾値Ｔｈｐより大きいか否かを判別する（ステップＡ１４）。ここで、閾値Ｔｈｐとは、運転者が車両１０を急制動させているのか否かを判別するための値であり、前述した前後加速度Ｇｘの閾値Ｔｈｇに対応付けられる形で予め実験的に、経験的に、或いはシミュレーションなどによって適切に定められている。
【００６６】
Ｍ／Ｃ圧Ｐｍｃが閾値Ｔｈｐより大きい場合には（ステップＡ１４：ＹＥＳ）、処理はステップＡ１６に移行すると共に、Ｍ／Ｃ圧Ｐｍｃが閾値Ｔｈｐ以下である場合（ステップＡ１４：ＮＯ）、ＥＣＵ１１０は、アクセル開度センサ１７によって検出されるアクセル開度Ａｃｃが閾値Ｔｈａよりも大きいか否かを判別する（ステップＡ１５）。ここで、閾値Ｔｈａとは、運転者が車両１０を急加速させているのか否かを判別するための値であり、前述した前後加速度Ｇｘの閾値Ｔｈｇに対応付けられる形で、予め実験的に、経験的に、或いはシミュレーションなどによって適切に定められている。
【００６７】
アクセル開度Ａｃｃが閾値Ｔｈａより大きい場合には、処理はステップＡ１６に移行する。一方、アクセル開度Ａｃｃが閾値Ｔｈａ以下である場合（ステップＡ１５：ＮＯ）、ステップＡ１０において前後加速度Ｇｘが閾値Ｔｈｇを超えているにもかかわらず、然るべき加減速操作が行われていないことが不自然であると判断され、前後加速度センサＧｘの信頼性が担保し得ないものとして、ＥＣＵ１１０は、処理をステップＡ１７に移行させ、閾値ＴｈｖｓｃをＴｈｖｓｃ２に設定する。
【００６８】
ステップＡ１６では、検出されたヨーレートＹＲを前後加速度Ｇｘで除算した感度誤差指標値が、閾値Ｔｈｙよりも大きいか否かが判別される。
【００６９】
ここで、図４を参照して、感度誤差指標値について説明する。ここに、図４は、感度誤差指標値の模式図である。尚、同図において、上記各図と重複する箇所には同一の符号を付してその説明を省略する。
【００７０】
図４において、縦軸及び横軸は、夫々前後加速度Ｇｘの絶対値及び検出されたヨーレートＹＲの絶対値を表す。
【００７１】
図４には、３本のプロファイルＰｒ０、Ｐｒ１及びＰｒ２が示されている。感度誤差指標値とは、各プロファイルの傾きであり、大きい程感度誤差が大きいことを表す。
【００７２】
プロファイルＰｒ０は、図３のステップＡ１６における閾値Ｔｈｙに相当する感度誤差指標値に対応するヨーレートセンサを表すプロファイルである。プロファイルＰｒ１は、感度誤差指標値が閾値Ｔｈｙよりも小さい（即ち、加速度感度誤差の比較的小さい）ヨーレートセンサを例示するプロファイルであり、プロファイルＰｒ２は、感度誤差指標値が閾値Ｔｈｙよりも大きい（即ち、加速度感度誤差の比較的大きい）ヨーレートセンサを例示するプロファイルである。
【００７３】
車両１０が直進している状態、即ち、推定ヨーレートがゼロ又はほぼゼロである場合、縦軸の値は、閾値Ｔｈｖｓｃとの比較対象値となる。ここで、閾値Ｔｈｖｓｃが、検出されたヨーレートの絶対値ＹＲ０に相当する値に設定されている場合、プロファイルＰｒ０及びプロファイルＰｒ１に対応するヨーレートセンサを有するＶＳＣ装置では、ＶＳＣ制御が好適に実行される。その一方、プロファイルＰｒ２に対応するヨーレートセンサを有するＶＳＣ装置では、前後加速度Ｇｘの絶対値が図示Ｇｘ０となった時点で、ＶＳＣ制御が作動してしまう。
【００７４】
例えば、車両１０に搭載されるヨーレートセンサ１５が、プロファイルＰｒ２に対応する或いはそれに類似する加速度感度誤差の大きいセンサである場合、閾値Ｔｈｖｓｃは、閾値Ｔｈｖｓｃ２に設定すべきであるが、反対にプロファイルＰｒ１に対応する或いはそれに類似する加速度感度誤差が小さいセンサである場合、閾値Ｔｈｖｓｃを敢えてＴｈｖｓｃ２に拡大する必要は生じない。図示プロファイルＰｒ０で表される閾値Ｔｈｙとは、このように、車両１０に、偶然加速度感度誤差が小さいヨーレートセンサが搭載されている場合に備え、適切にＶＳＣ制御の閾値を設定するための閾値であり、予め実験的に、経験的に、或いはシミュレーションなどに基づいて決定されている。
【００７５】
図３に戻り、感度誤差指標値が閾値Ｔｈｙより大きい場合（ステップＡ１６：ＹＥＳ）には、ステップＡ１７によって、閾値Ｔｈｖｓｃ２が閾値として設定され、閾値Ｔｈｙ以下である場合（ステップＡ１６：ＮＯ）には、ステップＡ１８によって、閾値Ｔｈｖｓｃ１が閾値として設定される。いずれかのステップに係る処理によって、閾値Ｔｈｖｓｃが設定されると、処理は再びステップＡ１０に戻され、一連の処理が繰り返される。
【００７６】
以上、説明したように、本実施形態に係るＶＳＣ制御装置１００によれば、ヨーレートセンサの加速度感度誤差に合わせ、効果的にＶＳＣ制御を実行させることが可能である。
【００７７】
尚、閾値設定処理において、ステップＡ１６に係る判別処理の結果は、少なくとも車両１０のイグニッションが投入されている期間においては変化する可能性は極めて低い。従って、アイドリング期間を含め、車両１０が動作している期間中は、少なくとも一回実行すれば足りる処理であるとも言える。そのような事情に鑑みて、ステップＡ１６に係る判別の結果は、ＥＣＵ１１０に備わるＲＡＭなどに一時的に格納されてもよい。ステップＡ１６の実行タイミングでは、ＲＡＭから係る値が読み出され、比較判別に供されてもよい。更に言うならば、ステップＡ１６が行われた結果、ヨーレートセンサ１５の加速度感度誤差が小さかった場合には、閾値をＴｈｖｓｃ２に設定する理由はないのであるから、閾値設定処理において、常にＴｈｖｓｃ１を閾値として設定してもよい。
【００７８】
本発明は、上述した実施例に限られるものではなく、請求の範囲及び明細書全体から読み取れる発明の要旨或いは思想に反しない範囲で適宜変更可能であり、そのような変更を伴う挙動安定化装置の制御装置もまた本発明の技術的範囲に含まれるものである。
【図面の簡単な説明】
【００７９】
【図１】本発明の実施形態に係るＶＳＣ制御装置を備えた車両の模式図である。
【図２】図１の車両に備わるヨーレートセンサの模式図である。
【図３】図１のＶＳＣ制御装置における閾値設定処理のフローチャートである。
【図４】図２のヨーレートセンサにおける感度誤差指標値の模式図である。
【符号の説明】
【００８０】
１０…車両、１５…ヨーレートセンサ、１１０…ＥＣＵ、１２０…前後加速度センサ。
【図１】
2006347256.tif 000003
【図２】
2006347256.tif 000004
【図３】
2006347256.tif 000005
【図４】
2006347256.tif 000006